(57)【要約】      （修正有）【課題】車載ＵＳＢ ＴｙｐｅＣコネクタの構造を提供する。【解決手段】ケーブルエンド部品１とボードエンド部品２で構成する車載ＵＳＢ ＴｙｐｅＣコネクタの構造であって、ケーブルエンド部品とボードエンド部品を接続し、二次ロックＣＰＡ１２をスロット１１２に挿入する。オスＰＣＢコネクタ１３の一端をシールドシェルの一端の外側に置き、且つケーブルエンドプラスティックシェル内腔１１１の一端にある腔口処に突出し、被包化外鋳型をシールドシェルの一端に置き、且つケーブルエンドプラスティックシェル内腔の一端にある腔口処に挿入する。被包化外鋳型の両サイドに掛合エッジを設けサイドスロットに挿入し、上部ロックプレート１２２をスロットの上方に挿入し、下部ロックプレート１２３をスロット内に挿入し、頂部は凸プレート１１２２に抵触する。掛合プレート１１２４はＵ型溝１２４に掛合し、掛合フック１２２１を一辺に引っ掛け、傾斜フック１２３２は傾斜プレートを引っ掛け、傾斜凸台２１２傾斜溝内に掛合する。【選択図】図５
0003233372.tif 000002
【実用新案登録請求の範囲】
【請求項１】
ケーブルエンド部品とボードエンド部品を含み、そのうち、ケーブルエンド部品とボードエンド部品は接続し、
ケーブルエンド部品に含まれるのはケーブルエンドプラスティックシェル、二次ロックＣＰＡ、オスＰＣＢコネクタ、シールドシェル、被包化外鋳型及びケーブルであり、該ケーブルエンドプラスティックシェル内には、中空で前後に貫通するケーブルエンドプラスティックシェル内腔を設け、前記シールドシェルをケーブルエンドプラスティックシェル内腔に挿入し、前記ケーブルエンドプラスティックシェルの頂端にスロットを設け、前記ケーブルエンドプラスティックシェルの両サイドに、それぞれサイドスロットを設け、前記二次ロックＣＰＡをスロットに挿入し、前記オスＰＣＢコネクタをシールドシェル内に置き、ケーブルの一端を被包化外鋳型に通し、且つシールドシェル内に置き、オスＰＣＢコネクタの一端と接続する前記オスＰＣＢコネクタの一端をシールドシェルの一端の外側に置き、且つケーブルエンドプラスティックシェル内腔の一端にある腔口処に突出し、前記被包化外鋳型をシールドシェルの一端に置き、且つケーブルエンドプラスティックシェル内腔の一端にある腔口処に挿入し、前記被包化外鋳型の両サイドにそれぞれ掛合エッジを設け、前記掛合エッジをサイドスロットに挿入し、
前記ボードエンド部品に含まれるのはボードエンドプラスティックシェルとメスシート部品であり、前記ボードエンドプラスティックシェル内にボードエンドプラスティックシェル内腔を設け、前記メスシート部品をボードエンドプラスティックシェル内腔に挿入し、前記ボードエンドプラスティックシェルの頂部に傾斜凸台を設け、
前記二次ロックＣＰＡに含まれるのはプッシュプレート、上部ロックプレート、下部ロックプレートとＵ型溝であり、上部ロックプレート、下部ロックプレートはプッシュプレートと接続し、前記上部ロックプレートを下部ロックプレートの上方に設置し、且つ下部ロックプレートより短く、前記上部ロックプレートと下部ロックプレートの中間に、一つのＵ型溝を形成し、前記上部ロックプレートの一端に掛合フックを設け、前記下部ロックプレートにバックフックを設け、前記下部ロックプレートの一端に、傾斜フックを設け、前記プッシュプレートの底部に頂部を設け、前記頂部は、プッシュプレートを押して動かす際と押す際の荷重支持点であり、
前記スロットの頂部に掛合プレートを設け、前記スロット内に凸プレート、傾斜溝と傾斜プレートを設け、
プッシュプレートを押し、前記二次ロックＣＰＡをスロットに挿入する時、前記上部ロックプレートをスロットの上方に挿入し、前記下部ロックプレートをスロット内に挿入し、前記頂部は凸プレートと抵触し、前記掛合プレートをＵ型溝に掛合し、前記掛合フックは掛合プレートの一辺と引っ掛け、前記傾斜フックは傾斜プレートを引っ掛け、前記傾斜凸台を傾斜溝内に掛合し、二次ロックＣＰＡはケーブルエンド部品としっかりロックし、前記ケーブルエンド部品はボードエンド部品としっかりロックすることを特徴とする車載ＵＳＢ ＴｙｐｅＣコネクタの構造。
【請求項２】
前記プッシュプレートを押し、前記頂部は凸プレートからスライドして離れ、前記傾斜フックは跳ね上がって傾斜プレートから離れて傾斜溝に掛合し、前記掛合フックは跳ね上がって掛合プレートの一辺から離れ、前記バックフックは掛合プレートの一辺と引っ掛け、二次ロックＣＰＡが外側にスライドするのを阻止し、二次ロックＣＰＡとケーブルエンド部品のロックを解除し、前記ケーブルエンド部品とボードエンド部品のロックを解除することを特徴とする請求項１記載の車載ＵＳＢ ＴｙｐｅＣコネクタの構造。
【請求項３】
前記メスシート部品の頂部に頂部フック及び弾片を設け、前記ボードエンドプラスティックシェル内腔に頂部フックと組み合わせる頂部フック溝及び、弾片と組み合わせる弾片スロットを設け、前記頂部フックは頂部フック溝を引っ掛け、前記弾片は弾片スロットと掛合することを特徴とする請求項１記載の車載ＵＳＢ ＴｙｐｅＣコネクタの構造。
【請求項４】
前記メスシート部品に溶接ピンを設け、前記溶接ピンは少なくともそれぞれ二列ＳＭＴ溶接ピン及びＳＭＴ＆ＤＩＰ混合溶接ピンの二種類を含むことを特徴とする請求項１記載の車載ＵＳＢ ＴｙｐｅＣコネクタの構造。
【請求項５】
前記溶接ピンはオフセットデザインであることを特徴とする請求項４記載の車載ＵＳＢ ＴｙｐｅＣコネクタの構造。
【請求項６】
前記シールドシェルに含まれるのは上部シールドシェルと下部シールドシェルであり、前記上部シールドシェルと下部シールドシェルはしっかり掛合することを特徴とする請求項１記載の車載ＵＳＢ ＴｙｐｅＣコネクタの構造。
【考案の詳細な説明】
【技術分野】
【０００１】
本考案はＴｙｐｅＣコネクタの構造に関し、特に新型の車載ＵＳＢ  ＴｙｐｅＣコネクタの構造に関する。
【背景技術】
【０００２】
データ保存量が絶えず増長するのにつれ、必要とされる伝送速度はますます素早さを要求され、サーバーストレージ業界において、クロック周波数の向上及び上昇時間の急激な短縮を意味することである。
これらの変化はいずれもコネクタの伝送速度に対し、ますます速いスピードが要求されるため、現有の車載のケーブルハーネスコネクタではそれぞれ異なり、互換性がない。
しかし、サポートするデータ伝送チャンネルが少なく、体積＆重量も比較的大きく、伝送性能も大変制限されているため、新世代のＴｙｐｅＣの車載ＵＳＢに対する更なる高い要求を満たすことができず、更なる改善が必要であった。
【先行技術文献】
【特許文献】
【０００３】
【特許文献１】特開２００３−１５１６７０号公報
【特許文献２】特開２００３−３１３２３号公報
【考案の概要】
【考案が解決しようとする課題】
【０００４】
前記従来技術を解決するため、本考案は多様化されたオフセットタイプデザイン、二次ロックフックＣＰＡ構造の車載ＵＳＢ ＴｙｐｅＣコネクタの構造を提供することを主な課題とする。
【課題を解決するための手段】
【０００５】
上述の目的を解決するために、本考案は新型の車載ＵＳＢ ＴｙｐｅＣコネクタの構造を提供するものである。それに含まれるのはケーブルエンド部品とボードエンド部品である。そのうちケーブルエンド部品とボードエンド部品は接続する。
【０００６】
ケーブルエンド部品に含まれるのはケーブルエンドプラスティックシェル、二次ロックＣＰＡ、オスＰＣＢコネクタ、シールドシェル、被包化外鋳型及びケーブルである。該ケーブルエンドプラスティックシェル内には、中空で前後に貫通するケーブルエンドプラスティックシェル内腔を設ける。前記シールドシェルをケーブルエンドプラスティックシェル内腔に挿入する。前記ケーブルエンドプラスティックシェルの頂端にスロットを設ける。前記ケーブルエンドプラスティックシェルの両サイドに、それぞれサイドスロットを設ける。
前記二次ロックＣＰＡをスロットに挿入する。前記オスＰＣＢコネクタをシールドシェル内に置く。ケーブルの一端を被包化外鋳型に通し、且つシールドシェル内に置き、オスＰＣＢコネクタの一端と接続する。前記オスＰＣＢコネクタの一端をシールドシェルの一端の外側に置き、且つケーブルエンドプラスティックシェル内腔の一端にある腔口処に突出する。前記被包化外鋳型をシールドシェルの一端に置き、且つケーブルエンドプラスティックシェル内腔の一端にある腔口処に挿入し、前記被包化外鋳型の両サイドにそれぞれ掛合エッジを設ける。前記掛合エッジをサイドスロットに挿入する。
【０００７】
前記ボードエンド部品に含まれるのはボードエンドプラスティックシェルとメスシート部品である。前記ボードエンドプラスティックシェル内にボードエンドプラスティックシェル内腔を設ける。前記メスシート部品をボードエンドプラスティックシェル内腔に挿入する。
【０００８】
前記ボードエンドプラスティックシェルの頂部に傾斜凸台を設ける。
【０００９】
前記二次ロックＣＰＡに含まれるのはプッシュプレート、上部ロックプレート、下部ロックプレートとＵ型溝である。上部ロックプレート、下部ロックプレートはプッシュプレートと接続する。前記上部ロックプレートを下部ロックプレートの上方に設置し、且つ下部ロックプレートより短い。
前記上部ロックプレートと下部ロックプレートの中間に、一つのＵ型溝を形成する。前記上部ロックプレートの一端に掛合フックを設ける。前記下部ロックプレートにバックフックを設ける。前記下部ロックプレートの一端に、傾斜フックを設ける。前記プッシュプレートの底部に頂部を設ける。前記頂部は、プッシュプレートを押して動かす際と押す際の荷重支持点である。
【００１０】
前記スロットの頂部に掛合プレート１１２１を設ける。前記スロット内に凸プレート、傾斜溝と傾斜プレートを設ける。
【００１１】
プッシュプレートを押し、前記二次ロックＣＰＡをスロットに挿入する時、前記上部ロックプレートをスロットの上方に挿入し、前記下部ロックプレートをスロット内に挿入する。前記頂部は凸プレートと抵触する。前記掛合プレートをＵ型溝に掛合する。前記掛合フックは掛合プレートの一辺と引っ掛ける。前記傾斜フックは傾斜プレートを引っ掛ける。前記傾斜凸台を傾斜溝内に掛合する。二次ロックＣＰＡはケーブルエンド部品としっかりロックする。前記ケーブルエンド部品はボードエンド部品としっかりロックする。
【００１２】
最良実施例として、プッシュプレートを押し、前記頂部は凸プレートからスライドして離れる。前記傾斜フックは跳ね上がって傾斜プレートから離れて傾斜溝に掛合する。前記掛合フックは跳ね上がって掛合プレートの一辺から離れる。前記バックフックは掛合プレートの一辺と引っ掛ける。二次ロックＣＰＡが外側にスライドするのを阻止する。二次ロックＣＰＡとケーブルエンド部品のロックを解除する。前記ケーブルエンド部品とボードエンド部品のロックを解除する。
【００１３】
最良実施例として、メスシート部品の頂部に頂部フック及び弾片を設ける。前記ボードエンドプラスティックシェル内腔に頂部フックと組み合わせる頂部フック溝及び、弾片と組み合わせる弾片スロットを設ける。前記頂部フックは頂部フック溝を引っ掛ける。前記弾片は弾片スロットと掛合する。
【００１４】
最良実施例として、前記メスシート部品に溶接ピンを設ける。前記溶接ピンは少なくともそれぞれ二列ＳＭＴ溶接ピン及びＳＭＴ＆ＤＩＰ混合溶接ピンの二種類を含む。
【００１５】
最良実施例として、前記溶接ピンはオフセットデザインである。
【００１６】
最良実施例として、前記シールドシェルに含まれるのは上部シールドシェルと下部シールドシェルである。前記上部シールドシェルと下部シールドシェルはしっかり掛合する。
【考案の効果】
【００１７】
従来技術と比べ、本考案の車載ＵＳＢ ＴｙｐｅＣコネクタはこの軽量化の時代において、クライアントが必要とする互換性、多機能且つ体積が小さく、軽量で高度に統合した高性能なコネクタである。具体的には、
１）全体の構造において、一端はケーブルのメス側と、別側はボードのオス側と接続できる。ケーブルエンドはプラスティック被包化構造であり、ボードエンドの溶接ピンは二列ＳＭＴ溶接ピン及びＳＭＴ＆ＤＩＰ混合溶接ピンの構造に分かれる。二種類ともにオフセットタイプのデザインであり、コネクタのボードでの高さを低くした。
２）二次ロックＣＰＡデザインを統合することで、組み合わせた後の信頼性を高めた。
３）ケーブルエンドコネクタは、ＵＳＢ ＴｙｐｅＣ協会の規範に合致する各種類のＴｙｐｅＣオスコネクタを使用できる。ケーブルに合わせてＵＳＢ３.１ＴｙｐｅＣフル機能(Ｇｅｎ１、Ｇｅｎ２)、ＰＤハイパワー充電など様々なケーブル製品に作ることができ、新世代が求める車載ＵＳＢ ＴｙｐｅＣのニーズを満たすことができる。
【図面の簡単な説明】
【００１８】
【図１】車載ＵＳＢ ＴｙｐｅＣコネクタのケーブルエンド部品の分解図である。
【図２】車載ＵＳＢ ＴｙｐｅＣコネクタのケーブルエンド部品の全体図である。
【図３】車載ＵＳＢ ＴｙｐｅＣコネクタのボードエンド部品の分解図である。
【図４】車載ＵＳＢ ＴｙｐｅＣコネクタの構造図である。
【図５】車載ＵＳＢ ＴｙｐｅＣコネクタのボードとロックする断面図である。
【図６】車載ＵＳＢ ＴｙｐｅＣコネクタのボードとロック解除する断面図である。
【考案を実施するための形態】
【００１９】
以下本考案の図１から図６、及び具体的な実施例を参照しながら詳細に説明するが、それらは本考案を限定するものではない。
【実施例】
【００２０】
図１から図６に示すのは、一種の新型車載ＵＳＢ ＴｙｐｅＣコネクタであり、それに含まれるのはケーブルエンド部品１とボードエンド部品２である。その中、ケーブルエンド部品１とボードエンド部品２は接続する。
【００２１】
ケーブルエンド部品１に含まれるのはケーブルエンドプラスティックシェル１１、二次ロックＣＰＡ１２、オスＰＣＢコネクタ１３、シールドシェル１４、被包化外鋳型１５及びケーブル１６である。該ケーブルエンドプラスティックシェル１１内には、中空で前後に貫通するケーブルエンドプラスティックシェル内腔１１１を設ける。前記シールドシェル１４をケーブルエンドプラスティックシェル内腔１１１に挿入する。前記ケーブルエンドプラスティックシェル１１の頂端にスロット１１２を設ける。
前記ケーブルエンドプラスティックシェル１１の両サイドに、それぞれサイドスロット１１３を設ける。前記二次ロックＣＰＡ１２をスロット１１２に挿入する。前記オスＰＣＢコネクタ１３をシールドシェル１４内に置く。ケーブル１６の一端を被包化外鋳型１５に通し、且つシールドシェル１４内に置き、オスＰＣＢコネクタ１３の一端と接続する。前記オスＰＣＢコネクタ１３の一端をシールドシェル１４の一端の外側に置き、且つケーブルエンドプラスティックシェル内腔１１１の一端にある腔口処に突出する。
前記被包化外鋳型１５をシールドシェル１４の一端に置き、且つケーブルエンドプラスティックシェル内腔１１１の一端にある腔口処に挿入し、前記被包化外鋳型１５の両サイドにそれぞれ掛合エッジ１５１を設ける。前記掛合エッジ１５１をサイドスロット１１３に挿入する。
【００２２】
前記ボードエンド部品２に含まれるのはボードエンドプラスティックシェル２１とメスシート部品２２である。前記ボードエンドプラスティックシェル２１内にボードエンドプラスティックシェル内腔２１１を設ける。前記メスシート部品２２をボードエンドプラスティックシェル内腔２１１に挿入する。
【００２３】
前記ボードエンドプラスティックシェル２１の頂部に傾斜凸台２１２を設ける。
【００２４】
前記二次ロックＣＰＡ１２に含まれるのはプッシュプレート１２１、上部ロックプレート１２２、下部ロックプレート１２３とＵ型溝１２４である。上部ロックプレート１２２、下部ロックプレート１２３はプッシュプレート１２１と接続する。前記上部ロックプレート１２２を下部ロックプレート１２３の上方に設置し、且つ下部ロックプレート１２３より短い。
前記上部ロックプレート１２２と下部ロックプレート１２３の中間に、一つのＵ型溝１２４を形成する。前記上部ロックプレート１２２の一端に掛合フック１２２１を設ける。前記下部ロックプレート１２３にバックフック１２３１を設ける。前記下部ロックプレート１２３の一端に、傾斜フック１２３２を設ける。前記プッシュプレート１２１の底部に頂部１２１１を設ける。前記頂部１２１１は、プッシュプレートを押して動かす際と押す際の荷重支持点である。
【００２５】
前記スロット１１２の頂部に掛合プレート１１２１を設ける。前記スロット１１２内に凸プレート１１２２、傾斜溝１１２３と傾斜プレート１１２４を設ける。
【００２６】
メスシート部品２２の頂部に頂部フック２２１及び弾片２２２を設ける。前記ボードエンドプラスティックシェル内腔２１１に頂部フック２２１と組み合わせる頂部フック溝及び、弾片２２２と組み合わせる弾片スロットを設ける。前記頂部フック２２１は頂部フック溝を引っ掛ける。前記弾片２２２は弾片スロットと掛合する。
【００２７】
前記メスシート部品２２に溶接ピン２２３を設ける。前記溶接ピン２２３は少なくともそれぞれ二列ＳＭＴ溶接ピン及びＳＭＴ＆ＤＩＰ混合溶接ピンの二種類を含む。前記溶接ピン２２３はオフセットデザインである。
【００２８】
前記シールドシェル１４に含まれるのは上部シールドシェル１４１と下部シールドシェル１４２である。前記上部シールドシェル１４１と下部シールドシェル１４２はしっかり掛合する。
【００２９】
図４及び図６に示すように、新型車載ＵＳＢ ＴｙｐｅＣコネクタの具体的な実施方法は、プッシュプレート１２１を押し、前記二次ロックＣＰＡ１２をスロット１１２に挿入する時、前記上部ロックプレート１２２をスロット１１２の上方に挿入する。前記下部ロックプレート１２３をスロット１１２内に挿入する。前記頂部１２１１は凸プレート１１２２と抵触する。前記掛合プレート１１２１をＵ型溝１２４に掛合する。
前記掛合フック１２２１は掛合プレート１１２１の一辺と引っ掛ける。前記傾斜フック１２３２は傾斜プレート１１２４を引っ掛ける。前記傾斜凸台２１２を傾斜溝１１２３内に掛合する。二次ロックＣＰＡ１２はケーブルエンド部品１としっかりロックする。前記ケーブルエンド部品１はボードエンド部品２としっかりロックする。
【００３０】
プッシュプレート１２１を押し、前記頂部１２１１は凸プレート１１２２からスライドして離れる。前記傾斜フック１２３２は跳ね上がって傾斜プレート１１２４から離れて傾斜溝１１２３に掛合する。前記掛合フック１２２１は跳ね上がって掛合プレート１１２１の一辺から離れる。前記バックフック１２３１は掛合プレート１１２１の一辺と引っ掛ける。二次ロックＣＰＡ１２が外側にスライドするのを阻止する。二次ロックＣＰＡ１２とケーブルエンド部品１のロックを解除する。前記ケーブルエンド部品１とボードエンド部品２のロックを解除する。
【００３１】
以上の実施例による本考案の詳細な説明は本考案の範囲を制限するものではない。本技術に熟知する者が、本考案の範囲内にて変更や調整を行っても、本考案の重要な意義は失われず、本考案の範囲に含まれる。
【符号の説明】
【００３２】
１  ケーブルエンド部品
１１  ケーブルエンドプラスティックシェル
１１１  ケーブルエンドプラスティックシェル内腔
１１２  スロット
１１２１  掛合プレート
１１２２  凸プレート
１１２３  傾斜溝
１１２４  傾斜プレート
１１３    サイドスロット  
１２      二次ロックＣＰＡ
１２１    プッシュプレート
１２１１  頂部
１２２  上部ロックプレート
１２２１  掛合フック
１２３  下部ロックプレート
１２３１  バックフック
１２３２  傾斜フック
１２４  Ｕ型溝
１３  オスＰＣＢコネクタ
１４  シールドシェル
１４１  上部シールドシェル
１４２  下部シールドシェル
１５  被包化外鋳型    
１５１  掛合エッジ
１６  ケーブル
２  ボードエンド部品
２１  ボードエンドプラスティックシェル
２１１  ボードエンドプラスティックシェル内腔
２１２  傾斜凸台
２２  メスシート部品
２２１  頂部フック
２２２  弾片
２２３  溶接ピン
【図１】
0003233372.tif 000003
【図２】
0003233372.tif 000004
【図３】
0003233372.tif 000005
【図４】
0003233372.tif 000006
【図５】
0003233372.tif 000007
【図６】
0003233372.tif 000008